(57)【要約】      （修正有）【課題】従来の針金製で作成された簡易なハンガーと同程度の材料で、針金製等の線材１本でフック機能を２か所と棚部を一か所具備し、固定する場所は鴨居、長押、椅子の背もたれ及び壁を対象とした、弾力性のある安全の高い簡易フックハンガーを提供する。【解決手段】フックハンガー１は針金製の線材１本で折り曲げ、固定部２、フック部３、棚部４及びフック部５の複数の機能を有し、針金の末端部を本体内側に折り曲げ、また、フック部５は先端を上向きに形成しているので本体は正面よりバネ機能を有し、もって安全性の高い簡易フックハンガーとしたものである。【選択図】図１
0003190194.tif 000002
【実用新案登録請求の範囲】
【請求項１】
１本の図１等に示すような形状を持ち、図２に示すフック部１、フック部２及び棚部を１本の針金製線材で複数の機能を構成する簡易フックハンガー。
前記の簡易フックハンガーは、鴨居、長押、椅子の背もたれ及び壁に固定する２固定部と、水平方向に対してやや上向きの３棚部と、該３棚部と前記２固定部とで形成される４フック部と、垂直方向に垂下し、先端部分が上向きに折り曲げられた５フック部とを有していることを特徴とする簡易ハンガーフックである。
【請求項２】
前記３棚部は水平方向に対して２０度以上、すなわち図２の角度θは７０°以下に設けられることを特徴とする簡易フックハンガー。
【請求項３】
前記１簡易フックハンガーと壁との固定方法は、図５に示すように壁に設けられた７Ｌ形釘に２固定部をひっかけることを特徴とする簡易フックハンガー。
【考案の詳細な説明】
【技術分野】
【０００１】本考案は、針金等の線材料で形成する簡易フックハンガーの構造に関するものである。
【背景技術】
【０００２】従来品のフックハンガーは、その多くが製品１ケにつき一つのフック機能を有し、固定する箇所は壁や鴨居等にそれぞれ限定されるものが多い。また、使用材料は金属製、合成樹脂製及び木製等と強度があるものが多く、人や物が衝撃をもって接触した場合には怪我もしくは傷つく恐れがある。
【先行技術文献】
【特許文献】
【０００３】
【特許文献１】特許公開平２０００−２３８１９
【特許文献２】特許公開平０９−２９８９５１
【考案の概要】
【考案が解決しようとする課題】
【０００４】本考案は、このような従来の実情に鑑み、提案されたものである。本考案の解決しようとする技術的課題は、市販されている針金製のハンガーと同等の材料を使用し、１本の針金線材１ケの製品で複数の機能を有する、すなわちフックを２か所、そして軽量な人形やアイテムを対象にした棚部１か所を形成し、さらに安全で半永久的な簡易フックハンガーを提供することにある。【０００５】また、本考案の簡易フックハンガーを固定する場所は鴨居、長押、椅子の背もたれ及び壁等にも適用可能とした製品を、そして取り付、取り外し、移動、収納が容易で手軽であるものを提供することにある。【０００６】本考案の材料及びその形状から、人や物が衝突しても本体そのものにバネ機能があり安全である。【０００７】本考案の材料は針金製等の線材で構成しているので、低コストで提供できる。さらにコーテイングすることにより半永久的な製品を提供することが可能である。
【課題を解決するための手段】
【０００８】本考案は、上記の課題を解決するために、次のような技術的手段を採る。
すなわち、本考案は、図１及び図２に示すように針金製等の線材１本を折り曲げて２固定部、３フック部、５フック部及び４棚部を形成した簡易フックハンガーを特徴とする。【０００９】本考案は、図の１及び図２に示すように、本体の形成する２固定部をもって鴨居、長押、椅子の背もたれに掛け、更に壁を固定場所とする場合は図５に示すように７Ｌ形釘に掛けて固定する。【００１０】針金線材の末端は図１及び図２に示すように１簡易フックハンガー本体の内側に折り曲げ突合せの状態で処理される。これは針金線材の先端が内側に内包されることにより人を傷つけないよう安全性に配慮したものである。【００１１】本考案は、図１及び図３に示すように５フック部を円弧上に曲げ、更に４棚部は水平より角度を上向きに形成しているため、正面からの衝突にはバネ機能を発揮することになり、人や物の簡易フックハンガー本体の正面からの衝突に対して傷つきにくく安全性が確保できる。【００１２】本考案の簡易フックハンガーは針金製等の線材１本で形成されているので、低コストで生産できることを特徴とする。
【考案の効果】
【００１３】本考案の製品１個でフック機能２か所及び棚機能１か所を有するので利便性が高い。【００１４】室内の鴨居、長押、椅子の背もたれ、壁、パーテイションの頂部等に取り付けて利用できるので利便性が高い。【００１５】本考案の製品は軽く、コンパクトな製品となるので、移動及び収納が容易であるので利便性が高い。【００１６】本考案の製品に塗装、もしくは合成樹脂等で被覆することにより半永久的な製品とすることが可能であり、経済的な製品となる。【００１７】本考案の製品は全体が弾力性を有し、正面方向にはバネ機能も有するので安全性が高い。【００１８】考案の製品に合成樹脂などで被覆し色を施すことにより室内のインテリアとしても楽しむことも可能である。
【図面の簡単な説明】
【００１９】
【図１】本考案実施形態の斜視図。
【図２】本考案実施形態の側面図。
【図３】本考案実施形態の平面図。
【図４】実施例１の説明図。
【図５】実施例２の説明図。
【考案を実施するための形態】
【００２０】以下、本考案を実施するための実施形態を、図面に従って説明する。
本考案は図１に示されるように、２固定部、３フック部、４棚部及び５フック部を１本の針金線材で折り曲げて形成する。
【００２１】本考案の簡易フックハンガー本体は図１の６終端部を示すように針金線材の先端を内側に折り曲げて、突合せで完結する。
【００２２】図２に示す４棚部はフック機能及び棚部に置かれた対象物の安定性を保持するため、水平方向より上向きに形成され、角度θは７０度以下とする。
【実施例】
【００２３】図４は本考案の簡易フックハンガーに３フック部利用のバッグ、５フック部利用のマフラー及び４棚部利用の人形を乗せている例。【００２４】図４は鴨居などに２固定部を掛けた例であり、図５は壁にＬ型釘などを固定した状態に固定部を掛けた状態を示す。
【産業上の利用可能性】
【００２５】本考案の簡易フックハンガー１個で多くの種類の対象物、例えばバッグ、マフラー、Ｔシャツ、帽子等日常品が利用できるので利便性が高く多くの家庭で利用されると考えられる。【００２６】本考案のフックハンガーに塗装や合成樹脂等でカラー被覆することにより室内インテリアの補助製品としても利用価値が高いと考えられる。【００２７】本体サイズを小さくすることにより携帯用としても考えられ、外出時に手荷物を掛ける場所として椅子の背もたれを利用して、バッグや傘等利用することが考えられ利便性が高いと考えられる。【００２８】更には、文房具の補助的製品として、机の前の壁等に固定し、鉛筆入れを掛ける、カッターナイフを置く等小荷物の置き場所等に利用できるので、利便性が高いと考えられる。【００２９】本体は１本の線材で生産できることから製品単価は安く、また前記塗装及び合成樹脂等で被覆することにより半永久的な製品にすることが可能であり、その利用価値は高いと考えられる。
【符号の説明】
【００３０】１              簡易フックハンガー
２              固定部
３              フック部
４              棚部
５              フック部
６              終端部
７              Ｌ形釘等
θ              折り曲げ角度
【図１】
0003190194.tif 000003
【図２】
0003190194.tif 000004
【図３】
0003190194.tif 000005
【図４】
0003190194.tif 000006
【図５】
0003190194.tif 000007
【手続補正書】
【提出日】平成26年2月5日(2014.2.5)
【手続補正１】
【補正対象書類名】実用新案登録請求の範囲
【補正対象項目名】全文
【補正方法】変更
【補正の内容】
【実用新案登録請求の範囲】
【請求項１】
１本の針金線材を折り曲げて形成された簡易フックハンガーであって、鴨居、長押、椅子の背もたれ及び壁に固定するための上向き凸状の固定部（２）と、水平方向に対してやや上向きの棚部（４）と、該棚部（４）と前記固定部（２）との間の折り曲げ部にて形成される第一のフック部（３）と、前記棚部（４）の該第一のフック部（３）とは反対側に設けられ、垂直方向に垂下し、先端部分が上向きに折り曲げられた第二のフック部（５）とを有していることを特徴とする簡易フックハンガー。
【請求項２】
前記棚部（４）は水平方向に対して２０度以上の角度で設けられることを特徴とする請求項１に記載の簡易フックハンガー。
【請求項３】
壁に設けられたＬ形釘（７）に前記固定部（２）をひっかけて固定可能であることを特徴とする請求項１に記載の簡易フックハンガー。